(57)【要約】      （修正有）【課題】操作性に優れると共に、小型化が可能なスイッチャを提供する。【解決手段】第１信号と第２信号とが入力される入力系統１０と、入力系統に入力された第１信号と第２信号とが出力される出力系統２０と、出力系統に対する入力系統の接続状態を切り替える操作部３０と、操作部の操作に基づいて、接続状態を切り替える制御部６０と、を有してなる。入力系統は、第１入力部と第２入力部とを備え、操作部は第１入力部に対応する第１ボタンと第２入力部に対応する第２ボタンとを備える。接続状態は第１信号と第２信号とが第１入力部から入力される第１状態と第１信号が第１入力部から入力され第２信号が第２入力部から入力される第２状態とを含む。接続状態が第１状態のときに、第１ボタンと第２ボタンとが同時に操作されると、制御部は接続状態を第１状態から第２状態に切り替える。【選択図】図１
2019121916.tif 000002
【特許請求の範囲】
【請求項１】
第１信号と第２信号とが入力される入力系統と、
前記入力系統に入力された前記第１信号と前記第２信号とが出力される出力系統と、
前記出力系統に対する前記入力系統の接続状態を切り替えるために操作される操作部と、
前記操作部の操作に基づいて、前記接続状態を切り替える制御部と、
を有してなり、
前記入力系統は、
第１入力部と、
第２入力部と、
を備え、
前記操作部は、
前記第１入力部に対応する第１ボタンと、
前記第２入力部に対応する第２ボタンと、
を備え、
前記接続状態は、
前記第１信号と前記第２信号とが前記第１入力部から入力される第１状態と、
前記第１信号が前記第１入力部から入力され、前記第２信号が前記第２入力部から入力される第２状態と、
を含み、
前記接続状態が前記第１状態のときに、前記第１ボタンと前記第２ボタンとが同時に操作されると、前記制御部は、前記接続状態を、前記第１状態から前記第２状態に切り替える、
ことを特徴とするスイッチャ。
【請求項２】
前記制御部は、前記第１ボタンが操作された状態で前記第２ボタンが操作されたときにのみ、前記接続状態を、前記第１状態から前記第２状態に切り替える、
請求項１記載のスイッチャ。
【請求項３】
前記接続状態を表示する表示部、
を備え、
前記表示部は、
前記第１入力部に対応する第１表示部と、
前記第２入力部に対応する第２表示部と、
を備え、
前記接続状態が前記第１状態のときの前記第１表示部の表示態様は、前記接続状態が前記第２状態のときの前記第１表示部の表示態様と同じであり、
前記接続状態が前記第１状態のときの前記第２表示部の表示態様は、前記接続状態が前記第２状態のときの前記第２表示部の表示態様と異なる、
請求項１記載のスイッチャ。
【請求項４】
前記接続状態が前記第１状態のときの前記第１表示部の表示態様は、前記接続状態が前記第１状態のときの前記第２表示部の表示態様と異なる、
請求項３記載のスイッチャ。
【請求項５】
前記接続状態が前記第１状態のときの前記第１表示部の表示態様は、前記接続状態が前記第２状態のときの前記第２表示部の表示態様と異なる、
請求項４記載のスイッチャ。
【請求項６】
前記接続状態を表示する表示部、
を備え、
前記表示部は、
前記第１入力部に対応する第１表示部と、
前記第２入力部に対応する第２表示部と、
を備え、
前記接続状態が前記第１状態のときの前記第１表示部の表示態様は、前記接続状態が前記第２状態のときの前記第１表示部の表示態様と異なり、
前記接続状態が前記第１状態のときの前記第２表示部の表示態様は、前記接続状態が前記第２状態のときの前記第２表示部の表示態様と異なる、
請求項１記載のスイッチャ。
【請求項７】
前記接続状態が前記第１状態のときの前記第１表示部の表示態様は、前記接続状態が前記第２状態のときの前記第２表示部の表示態様と同じである、
請求項６記載のスイッチャ。
【請求項８】
前記接続状態が前記第２状態のときの前記第１表示部の表示態様は、前記接続状態が前記第２状態のときの前記第２表示部の表示態様と異なる、
請求項７記載のスイッチャ。
【請求項９】
前記操作部は、
前記入力系統から前記出力系統への前記第１信号と前記第２信号との入力を解除する解除ボタン、
を備え、
前記接続状態は、
前記第１信号または前記第２信号のいずれか一方のみが前記第１入力部から入力される第３状態、
を含み、
前記接続状態が前記第１状態のとき、前記第１ボタンと前記解除ボタンとが同時に操作されると、前記制御部は、前記接続状態を、前記第１状態から前記第３状態に切り替える、
請求項１記載のスイッチャ。
【請求項１０】
前記接続状態を表示する表示部、
を備え、
前記表示部は、
前記第１ボタンに対応する第１表示部と、
前記解除ボタンに対応する入力信号解除表示部と、
を備え、
前記接続状態が前記第１状態のときの前記第１表示部の表示態様は、前記接続状態が前記第３状態のときの前記第１表示部の表示態様と同じであり、
前記接続状態が前記第１状態のときの前記入力信号解除表示部の表示態様は、前記接続状態が前記第３状態のときの前記入力信号解除表示部の表示態様と異なる、
請求項９記載のスイッチャ。
【請求項１１】
前記接続状態は、
前記第１信号と前記第２信号とが前記入力系統から前記出力系統に入力されない未接続状態、
を含み、
前記接続状態が前記未接続状態のとき、前記解除ボタンと前記第１ボタンとが同時に操作されると、前記制御部は、前記接続状態を、前記未接続状態から前記第３状態に切り替える、
請求項９記載のスイッチャ。
【請求項１２】
前記接続状態を表示する表示部、
を備え、
前記表示部は、
前記第１ボタンに対応する第１表示部と、
前記解除ボタンに対応する入力信号解除表示部と、
を備え、
前記接続状態が前記未接続状態のときの前記入力信号解除表示部の表示態様は、前記接続状態が前記第３状態のときの前記入力信号解除表示部の表示態様と同じであり、
前記接続状態が前記未接続状態のときの前記第１表示部の表示態様は、前記接続状態が前記第３状態のときの前記第１表示部の表示態様と異なる、
請求項１１記載のスイッチャ。
【発明の詳細な説明】
【技術分野】
【０００１】
本発明は、スイッチャに関する。
【背景技術】
【０００２】
スイッチャは、複数の映像信号や音声信号を扱う放送施設などにおいて、入力機器から入力される映像信号（映像入力信号）や音声信号（音声入力信号）の切り替えや分配を行い、出力機器に出力する。スイッチャは、複数の入力機器と複数の出力機器との間に接続される。スイッチャは、操作部を有する。操作部は、複数の操作ボタンと、複数の解除ボタンと、を備える。スイッチャは、操作ボタンの操作（押下操作）に応じて出力機器に対する入力機器の接続を切り替え、解除ボタンの操作に応じて出力機器に対する入力機器の接続を解除（切断）する。
【０００３】
スイッチャの中には、異なる入力機器からの映像信号と音声信号とを１つの出力機器に出力する、いわゆるマトリックススイッチャがある（例えば、特許文献１参照）。
【０００４】
特許文献１に開示されたスイッチャは、複数の操作ボタンと、複数の解除ボタンと、ＳＥＴボタンと、を備える。ＳＥＴボタンは、異なる入力機器からの映像信号と音声信号とを１つの出力機器に出力するときに操作されるボタンである。特許文献１に開示されたスイッチャは、ユーザがＳＥＴボタンと、操作ボタンまたは解除ボタンと、を同時に操作することで、異なる入力機器からの映像信号と音声信号とを１つの出力機器に出力する。
【先行技術文献】
【特許文献】
【０００５】
【特許文献１】特開２０１３−２１６６８号公報
【発明の概要】
【発明が解決しようとする課題】
【０００６】
特許文献１に開示されたスイッチャは、異なる入力機器からの映像信号と音声信号とを１つの出力機器に出力させるとき、操作ボタンの操作または解除ボタンの操作と同時にＳＥＴボタンの操作を必要とする。そのため、特許文献１に開示されたスイッチャの操作性には、改善の余地がある。
【０００７】
このように、特許文献１に開示されたスイッチャは、操作のためにＳＥＴボタンを必要とする。そのため、特許文献１に開示されたスイッチャは、ＳＥＴボタンを配置するためのスペースを必要とする。その結果、スイッチャの小型化には限界がある。
【０００８】
本発明は、以上のような従来技術の問題点を解消するためになされたもので、操作性に優れると共に、小型化が可能なスイッチャを提供することを目的とする。
【課題を解決するための手段】
【０００９】
本発明にかかるスイッチャは、第１信号と第２信号とが入力される入力系統と、入力系統に入力された第１信号と第２信号とが出力される出力系統と、出力系統に対する入力系統の接続状態を切り替える操作部と、操作部の操作に基づいて、接続状態を切り替える制御部と、を有してなり、入力系統は、第１入力部と、第２入力部と、を備え、操作部は、第１入力部に対応する第１ボタンと、第２入力部に対応する第２ボタンと、を備え、接続状態は、第１信号と第２信号とが第１入力部から入力される第１状態と、第１信号が第１入力部から入力され、第２信号が第２入力部から入力される第２状態と、を含み、接続状態が第１状態のときに、第１ボタンと第２ボタンとが同時に操作されると、制御部は、接続状態を、第１状態から第２状態に切り替える、ことを特徴とする。
【発明の効果】
【００１０】
本発明によれば、操作性に優れると共に、小型化が可能なスイッチャを提供することができる。
【図面の簡単な説明】
【００１１】
【図１】本発明にかかるスイッチャの実施の形態を示す機能ブロック図である。
【図２】図１のスイッチャが備える操作部と表示部との模式図である。
【図３】（ａ）は図２の操作部が備える操作ボタンと、同操作ボタンに対応する発光体と、の関係を示す模式図であり、（ｂ）は図２の操作部が備える解除ボタンと、同解除ボタンに対応する発光体と、の関係を示す模式図である。
【図４】図１のスイッチャが備える入力系統と出力系統との接続パターンを示す模式図である。
【図５】図３の操作ボタンと解除ボタンとに表示される発光体の点灯状態を示す模式図である。
【図６】電源投入直後のスイッチャの操作部と表示部との表示例を示す模式図である。
【図７】操作部と表示部との別の表示例を示す模式図である。
【図８】（ａ）は図１のスイッチャの映像入力信号の供給経路の例を示す模式図であり、（ｂ）は図１のスイッチャの音声入力信号の供給経路の例を示す模式図である。
【図９】操作部と表示部とのさらに別の表示例を示す模式図である。
【図１０】（ａ）は図１のスイッチャの映像入力信号の供給経路の別の例を示す模式図であり、（ｂ）は図１のスイッチャの音声入力信号の供給経路の別の例を示す模式図である。
【図１１】操作部と表示部とのさらに別の表示例を示す模式図である。
【図１２】（ａ）は図１のスイッチャの映像入力信号の供給経路のさらに別の例を示す模式図であり、（ｂ）は図１のスイッチャの音声入力信号の供給経路のさらに別の例を示す模式図である。
【図１３】操作部と表示部とのさらに別の表示例を示す模式図である。
【図１４】（ａ）は図１のスイッチャの映像入力信号の供給経路のさらに別の例を示す模式図であり、（ｂ）は図１の音声入力信号の供給経路のさらに別の例を示す模式図である。
【発明を実施するための形態】
【００１２】
●スイッチャ●
以下、図面を参照しながら、本発明にかかるスイッチャの実施の形態について説明する。
【００１３】
●スイッチャの構成
図１は、本発明にかかるスイッチャの実施の形態を示す機能ブロック図である。
【００１４】
スイッチャ１は、入力機器１００（図４参照）と出力機器２００（図４参照）との間に接続され、入力機器１００から入力（供給）される複数の信号（以下「入力信号」という。）それぞれの切り替えや分配を行い、出力機器２００に出力する。スイッチャ１は、例えば、放送施設などにおいて使用されるマトリクススイッチャである。スイッチャ１は、入力系統１０と、出力系統２０と、操作部３０と、表示部４０と、ＭＵＸ（Multiplexer）５０と、制御部６０と、を有してなる。
【００１５】
入力信号は、映像入力信号と音声入力信号とを含む。映像入力信号は入力機器から入力（供給）される映像信号であり、音声入力信号は入力機器から入力（供給）される音声信号である。本実施の形態において、映像入力信号は本発明における第１信号であり、音声入力信号は本発明における第２信号である。
【００１６】
入力機器１００（図４参照）は、例えば、ビデオカメラや、マイクロホン、ＶＴＲ（Videotape recorder）などの映像信号や音声信号を生成する機器である。出力機器２００（図４参照）は、例えば、他のスイッチャやモニタなどの映像信号や音声信号の切り替えや表示を行う機器である。本実施の形態では、スイッチャ１は、６つの入力機器１００（入力機器１０１，入力機器１０２，入力機器１０３，入力機器１０４，入力機器１０５，入力機器１０６）と、４つの出力機器２００（出力機器２０１，出力機器２０２，出力機器２０３，出力機器２０４）と、の間に接続される。
【００１７】
入力系統１０は、入力機器１００からの入力信号（映像入力信号，音声入力信号）を受信し、同入力信号をＭＵＸ５０へ入力（供給）する。入力系統１０は、個別入力系統ＩＮ１と、個別入力系統ＩＮ２と、個別入力系統ＩＮ３と、個別入力系統ＩＮ４と、個別入力系統ＩＮ５と、個別入力系統ＩＮ６と、の６つの個別入力系統ＩＮ１−ＩＮ６を備える。
【００１８】
各個別入力系統ＩＮ１−ＩＮ６の構成は、それぞれ共通する。以下の説明において、各個別入力系統ＩＮ１−ＩＮ６のそれぞれを区別する必要がないとき、説明の便宜上それぞれを「個別入力系統ＩＮ」という。
【００１９】
個別入力系統ＩＮ１は、入力機器１０１の映像出力端子と接続される映像入力端子（不図示）と、入力機器１０１の音声出力端子と接続される音声入力端子（不図示）と、を備える。個別入力系統ＩＮ２−ＩＮ６についても個別入力系統ＩＮ１と同様に、入力機器１０２−１０６の映像出力端子と接続される映像入力端子（不図示）と、入力機器１０２−１０６の音声出力端子と接続される音声入力端子（不図示）と、を備える。
【００２０】
出力系統２０は、ＭＵＸ５０からの入力信号を出力機器２００へ出力する。出力系統２０は、個別出力系統ＯＵＴ１と、個別出力系統ＯＵＴ２と、個別出力系統ＯＵＴ３と、個別出力系統ＯＵＴ４と、の４つの個別出力系統ＯＵＴ１−ＯＵＴ４を備える。
【００２１】
各個別出力系統ＯＵＴ１−ＯＵＴ４の構成は、それぞれ共通する。以下の説明において、各個別出力系統ＯＵＴ１−ＯＵＴ４のそれぞれを区別する必要がないとき、説明の便宜上それぞれを「個別出力系統ＯＵＴ」という。
【００２２】
個別出力系統ＯＵＴ１は、出力機器２０１の映像入力端子と接続される映像出力端子（不図示）と、出力機器２０１の音声入力端子と接続される音声出力端子（不図示）と、を備える。個別出力系統ＯＵＴ２−ＯＵＴ４についても、個別出力系統ＯＵＴ１と同様に、出力機器２０２−２０４の映像入力端子と接続される映像出力端子（不図示）と、出力機器２０２−２０４の音声入力端子と接続される音声出力端子と、を備える。
【００２３】
操作部３０は、スイッチャ１のユーザが個別出力系統ＯＵＴに対する個別入力系統ＩＮの接続や、同接続の解除（切断）をするために操作される手段である。操作部３０は、ユーザの操作に応じて選択信号を生成し、同選択信号を制御部６０に入力する。「選択信号」は、ユーザの操作により選択された個別出力系統ＯＵＴに対する個別入力系統ＩＮの接続や、同接続の切断を制御部６０に通知する信号である。ユーザにより操作部３０が操作されると、個別出力系統ＯＵＴに対する個別入力系統ＩＮの接続や、同接続の切断が実行される。その結果、後述する個別出力系統ＯＵＴに対する個別入力系統ＩＮの接続状態が切り替わる。すなわち、操作部３０は、ユーザが個別出力系統ＯＵＴに対する個別入力系統ＩＮの接続状態を切り替えるために操作される手段でもある。
【００２４】
「個別出力系統ＯＵＴに対する個別入力系統ＩＮの接続状態」は、第１状態と、第２状態と、第３状態と、未接続状態と、を含む。
【００２５】
「第１状態」は、１つの個別出力系統ＯＵＴに対して、１つの個別入力系統ＩＮから映像入力信号と音声入力信号とが入力される接続状態である。すなわち、第１状態は、１つの個別出力系統ＯＵＴに対して、映像入力信号と音声入力信号とが１つの個別入力系統ＩＮから入力される接続状態である。
【００２６】
「第２状態」は、１つの個別出力系統ＯＵＴに対して、１つの個別入力系統ＩＮから映像入力信号が入力され、他の１つの個別入力系統ＩＮから音声入力信号が入力される接続状態である。すなわち、第２状態は、１つの個別出力系統ＯＵＴに対して、映像入力信号が１つの個別入力系統ＩＮから入力され、音声入力信号が他の１つの個別入力信号から入力される接続状態である。
【００２７】
「第３状態」は、１つの個別出力系統ＯＵＴに対して、１つの個別入力系統ＩＮから映像入力信号のみ、あるいは、音声入力信号のみ、が入力される接続状態である。すなわち、第３状態は、１つの個別出力系統ＯＵＴに対して、映像入力信号、または、音声入力信号のいずれか一方のみが１つの個別入力系統ＩＮから入力される接続状態である。
【００２８】
「未接続状態」は、個別出力系統ＯＵＴに対して、個別入力系統ＩＮから映像入力信号と音声入力信号とのいずれも入力されない接続状態である。すなわち、映像入力信号と音声入力信号とが個別入力系統ＩＮから個別出力系統ＯＵＴに入力されない接続状態である。つまり、未接続状態は、個別出力系統ＯＵＴに対して個別入力系統ＩＮが接続されていない状態である。
【００２９】
図２は、操作部３０と表示部４０との模式図である。
【００３０】
操作部３０は、複数の操作ボタンＢａと、複数の解除ボタンＢｂと、を備える。本実施の形態において、操作部３０は、２４（４×６）個の操作ボタンＢａと、４個の解除ボタンＢｂと、を備える。操作ボタンＢａと解除ボタンＢｂとは、縦方向（図２の紙面上下方向）に４行、横方向（図２の紙面左右方向）に７列の二次元マトリクス状に配列される。
【００３１】
操作ボタンＢａと解除ボタンＢｂとの配列において、各行は各個別出力系統ＯＵＴ１−ＯＵＴ４に対応し、各列は、各個別入力系統ＩＮ１−ＩＮ６と解除系統ＯＦＦとに対応する。すなわち、６つの操作ボタンＢａと、１つの解除ボタンＢｂと、が、各個別出力系統ＯＵＴ１−ＯＵＴ４ごとに配置される。例えば、４行１列目の操作ボタンＢａは、個別出力系統ＯＵＴ４と個別入力系統ＩＮ１とに対応する操作ボタンＢａである。３行７列目の解除ボタンＢｂは、個別出力系統ＯＵＴ３に対する個別入力系統ＩＮの接続を解除する解除系統ＯＦＦに対応する解除ボタンＢｂである。ユーザは、例えば、任意の操作ボタンＢａや解除ボタンＢｂを操作（押下操作）することにより、各個別出力系統ＯＵＴ１−ＯＵＴ４に対する各個別入力系統ＩＮ１−ＩＮ６の接続や、同接続の解除（切断）をする。ここで、「解除系統ＯＦＦ」は、出力系統２０に対する入力系統１０の接続を解除する系統である。
【００３２】
操作ボタンＢａは、個別出力系統ＯＵＴに対する個別入力系統ＩＮの接続をユーザが任意に切り替えるために操作するボタンである。操作ボタンＢａは、透明、または、半透明の部材で構成される。操作ボタンＢａの操作と、個別出力系統ＯＵＴに対する個別入力系統ＩＮの接続と、の関係については、後述する。
【００３３】
解除ボタンＢｂは、個別出力系統ＯＵＴに対する個別入力系統ＩＮの接続をユーザが解除（切断）するために操作するボタンである。解除ボタンＢｂは、透明、または、半透明の部材で構成される。解除ボタンＢｂの操作と、個別出力系統ＯＵＴに対する個別入力系統ＩＮの接続の解除（切断）と、の関係については、後述する。
【００３４】
表示部４０は、後述する制御部６０からの表示信号に基づいて、各個別出力系統ＯＵＴ１−ＯＵＴ４に対する各個別入力系統ＩＮ１−ＩＮ６の接続状態を表示する。表示部４０の表示態様は、各個別出力系統ＯＵＴ１−ＯＵＴ４に対する各個別入力系統ＩＮ１−ＩＮ６の接続状態に対応する。すなわち、表示部４０は、表示部４０の表示態様により各個別出力系統ＯＵＴ１−ＯＵＴ４に対する各個別入力系統ＩＮ１−ＩＮ６の接続状態をユーザに視認させる。表示部４０は、複数の発光体Ｌを備える。発光体Ｌは、例えば、単色ＬＥＤ（Light Emitting Diode）などの発光体である。複数の発光体Ｌは、２４個の発光体Ｌａと、４個の発光体Ｌｂと、で構成される。
【００３５】
発光体Ｌａは、操作ボタンＢａの内部に配置され、操作ボタンＢａの内部で点灯する。すなわち、発光体Ｌａは、操作ボタンＢａを介して、発光体Ｌａの点灯状態をユーザに視認させる。
【００３６】
発光体Ｌｂは、解除ボタンＢｂの内部に配置され、解除ボタンＢｂの内部で点灯する。
すなわち、発光体Ｌｂは，解除ボタンＢｂそれぞれを介して発光体Ｌｂの点灯状態をユーザに視認させる。
【００３７】
発光体Ｌ（発光体Ｌａ，発光体Ｌｂ）の点灯状態は、全点灯状態と、半点灯状態と、消灯状態と、を含む。「全点灯状態」は、発光体Ｌ（発光体Ｌａ，Ｌｂ）が全点灯している点灯状態である。「半点灯状態」は、発光体Ｌ（発光体Ｌａ，Ｌｂ）が全点灯の半分の明るさで点灯している点灯状態である。「消灯状態」は、発光体Ｌ（発光体Ｌａ，Ｌｂ）が消灯している状態である。表示部４０は、発光体Ｌの点灯状態により、表示部４０の表示態様をユーザに視認させる。すなわち、表示部４０の表示態様は、発光体Ｌの点灯状態と同義である。
【００３８】
図３（ａ）は、操作ボタンＢａと発光体Ｌａとの関係を示す模式図であり、図３（ｂ）は、解除ボタンＢｂと発光体Ｌｂとの関係を示す模式図である。
【００３９】
以下の説明において、ｍ行ｎ列目（ｍ＝１，２，３，４、ｎ＝１，２，３，４，５，６）の操作ボタンＢａは、図３（ａ）に示されるように、「Ｂａｍｎ」の符号を用いて示す。すなわち、例えば、４行１列目の操作ボタンＢａ（図２の一点鎖線で囲まれる操作ボタンＢａ）は、個別出力系統ＯＵＴ４と個別入力系統ＩＮ１とに対応し、「操作ボタンＢａ４１」と表記する。同様に、ｍ行７列目（ｍ＝１，２，３，４）の解除ボタンＢｂは、図３（ｂ）に示されるように、「Ｂｂｍ０」の符号を用いて示す。すなわち、例えば、３行７列目の解除ボタンＢｂ（図２の二点鎖線で囲まれる解除ボタンＢｂ）は、個別出力系統ＯＵＴ３と解除系統ＯＦＦとに対応し、「解除ボタンＢｂ３０」と表記する。これらの表記は、その他のボタン（操作ボタンＢａ，解除ボタンＢｂ）についても同様である。つまり、操作部３０は、操作ボタンＢａ１１−Ｂａ４６と、解除ボタンＢｂ１０−Ｂｂ４０と、を備える。
【００４０】
また、以下の説明において、ｍ行ｎ列目（ｍ＝１，２，３，４、ｎ＝１，２，３，４，５，６）の発光体Ｌａは、図３（ａ）に示されるように、「Ｌａｍｎ」の符号を用いて示す。すなわち、例えば、４行１列目の発光体Ｌａ（図２の一点鎖線で囲まれる発光体Ｌａ）は、個別出力系統ＯＵＴ４と個別入力系統ＩＮ１とに対応し、「発光体Ｌａ４１」と表記する。発光体Ｌａ４１は、操作ボタンＢａ４１に対応し、操作ボタンＢａ４１を介して発光体Ｌａ４１の点灯状態をユーザに視認させる。同様に、ｍ行７列目（ｍ＝１，２，３，４）の発光体Ｌｂは、図３（ｂ）に示されるように、「Ｌｂｍ０」の符号を用いて示す。すなわち、例えば、３行７列目の発光体Ｌｂ（図２の二点鎖線で囲まれる発光体Ｌｂ）は、個別出力系統ＯＵＴ３と解除系統ＯＦＦとに対応し、「発光体Ｌｂ３０」と表記する。発光体Ｌｂ３０は、解除ボタンＢｂ３０に対応し、解除ボタンＢｂ３０を介して発光体Ｌｂ３０の点灯状態をユーザに視認させる。その他の発光体Ｌ（発光体Ｌａ，発光体Ｌｂ）についても同様である。つまり、発光体Ｌは、発光体Ｌａ１１−Ｌａ４６と、発光体Ｌｂ１０−Ｌｂ４０と、を備える。
【００４１】
図１に戻る。
ＭＵＸ５０は、後述する制御部６０からの制御信号に基づいて、個別入力系統ＩＮと個別出力系統ＯＵＴとを接続し、あるいは、個別入力系統ＩＮと個別出力系統ＯＵＴとの接続を解除（切断）する。すなわち、ＭＵＸ５０は、個別出力系統ＯＵＴに対する個別入力系統ＩＮの接続状態を切り替える。ＭＵＸ５０は、例えば、選択的接続回路（セレクタ）である。ＭＵＸ５０は、第１ＭＵＸ５１と第２ＭＵＸ５２とを備える。
【００４２】
第１ＭＵＸ５１は、制御部６０からの制御信号に基づいて、個別入力系統ＩＮの映像入力端子と個別出力系統ＯＵＴの映像出力端子とを接続し、あるいは、個別入力系統ＩＮの映像入力端子と個別出力系統ＯＵＴの映像出力端子との接続を解除（切断）する。すなわち、第１ＭＵＸ５１は、映像入力信号のための個別出力系統ＯＵＴに対する個別入力系統ＩＮの接続状態を切り替える。
【００４３】
第２ＭＵＸ５２は、制御部６０から入力された制御信号に基づいて、個別入力系統ＩＮの音声入力端子と個別出力系統ＯＵＴの音声出力端子とを接続し、あるいは、個別入力系統ＩＮの音声入力端子と個別出力系統ＯＵＴの音声出力端子との接続を解除（切断）する。すなわち、第２ＭＵＸ５２は、音声入力信号のための個別出力系統ＯＵＴに対する個別入力系統ＩＮの接続状態を切り替える。
【００４４】
図４は、入力系統１０と出力系統２０との接続パターンを示す模式図である。
同図は、ＭＵＸ５０を介して、各個別入力系統ＩＮ１−ＩＮ６からの入力信号を各個別出力系統ＯＵＴ１−ＯＵＴ４に入力（供給）する経路（以下「供給経路」という。）、すなわち、入力系統１０と出力系統２０との接続パターンを破線で示す。
【００４５】
各個別入力系統ＩＮ１−ＩＮ６それぞれの映像入力端子は、第１ＭＵＸ５１を介して、各個別出力系統ＯＵＴ１−ＯＵＴ４それぞれの映像出力端子に選択的に接続される。すなわち、例えば、個別入力系統ＩＮ１の映像入力端子は、第１ＭＵＸ５１により、１つの個別出力系統ＯＵＴの映像出力端子、または、複数の個別出力系統ＯＵＴの映像出力端子に接続され、あるいは、個別出力系統ＯＵＴの映像出力端子との接続を解除（切断）される。
【００４６】
各個別入力系統ＩＮ１−ＩＮ６それぞれの音声入力端子は、第２ＭＵＸ５２を介して、各個別出力系統ＯＵＴ１−ＯＵＴ４それぞれの音声出力端子に選択的に接続される。すなわち、例えば、個別入力系統ＩＮ１の音声入力端子は、第２ＭＵＸ５２により、１つの個別出力系統ＯＵＴの音声出力端子、または、複数の個別出力系統ＯＵＴの音声出力端子に接続され、あるいは、個別出力系統ＯＵＴの音声出力端子との接続を解除（切断）される。
【００４７】
制御部６０は、スイッチャ１全体の動作を制御すると共に、操作部３０からの選択信号に基づいて制御信号と表示信号とを生成する。制御部６０は、例えば、ＣＰＵ（Central Processing Unit）などのマイクロプロセッサなどから構成される。制御部６０の動作については、後述する。
【００４８】
「制御信号」は、操作部３０からの選択信号に基づいて、ユーザが選択した個別入力系統ＩＮと、ユーザが選択した個別出力系統ＯＵＴと、をＭＵＸ５０に接続、あるいは、同接続を解除（切断）させる信号である。制御信号は、制御部６０からＭＵＸ５０へ入力される。
【００４９】
「表示信号」は、ユーザが選択した個別出力系統ＯＵＴに対する個別入力系統ＩＮの接続や、同接続の切断、すなわち、個別出力系統ＯＵＴに対する個別入力系統ＩＮの接続状態を表示部４０に表示させるために発光体Ｌの点灯状態を変更する信号である。
【００５０】
●操作部と表示部との表示例
次に、操作部３０と表示部４０との表示例、すなわち、操作ボタンＢａと解除ボタンＢｂとに表示される発光体Ｌの点灯状態について説明する。
【００５１】
図５は、操作ボタンＢａと解除ボタンＢｂとに表示される発光体Ｌ（発光体Ｌａ，発光体Ｌｂ）の点灯状態を示す模式図である。
図中、黒塗りの枠は発光体Ｌ（発光体Ｌａ，発光体Ｌｂ）が全点灯状態のボタン（操作ボタンＢａ，解除ボタンＢｂ）を示し、白塗りの枠は発光体Ｌ（発光体Ｌａ，発光体Ｌｂ）が消灯状態のボタン（操作ボタンＢａ，解除ボタンＢｂ）を示し、網掛けの枠は発光体Ｌ（発光体Ｌａ，発光体Ｌｂ）が半点灯状態のボタン（操作ボタンＢａ，解除ボタンＢｂ）を示す（図６，７，９，１１，１３において同じ）。
【００５２】
図中、符号「Ｂａ［Ｌａ］」は、操作ボタンＢａと、同操作ボタンＢａの内部に配置された発光体Ｌａと、を示す（図６，７，９，１１，１３において同じ）。同様に、図中、符号「Ｂｂ［Ｌｂ］」は、解除ボタンＢｂと、同解除ボタンＢｂの内部に配置された発光体Ｌｂと、を示す（図６，７，９，１１，１３において同じ）。
【００５３】
発光体Ｌａ，Ｌｂの点灯状態が全点灯状態のとき、発光体Ｌａに対応する操作ボタンＢａは全点灯することで接続状態（第１状態、第２状態、第３状態）を表示し、発光体Ｌｂに対応する解除ボタンＢｂは全点灯することで接続状態（第３状態、未接続状態）を表示する。発光体Ｌａ，Ｌｂの点灯状態が半点灯状態のとき、発光体Ｌａに対応する操作ボタンＢａは半点灯することで接続状態（第２状態、第３状態）を表示し、発光体Ｌｂに対応する解除ボタンＢｂは半点灯することで接続状態（第３状態）を表示する。発光体Ｌａ，Ｌｂの点灯状態が消灯状態のとき、発光体Ｌａに対応する操作ボタンＢａは消灯することで接続状態（未接続状態）を表示し、発光体Ｌｂに対応する解除ボタンＢｂは消灯することで接続状態（第１状態、第２状態）を表示する。各接続状態と、操作ボタンＢａと解除ボタンＢｂそれぞれの点灯と、の関係については後述する。
【００５４】
●スイッチャの動作
次に、スイッチャ１の動作について説明する。
【００５５】
スイッチャ１は、ユーザによる操作部３０の操作、すなわち、操作ボタンＢａと解除ボタンＢｂとの操作（押下操作）に応じて、出力系統２０に対する入力系統１０の接続状態（未接続状態、第１状態、第２状態、第３状態）を切り替える。
【００５６】
図６は、電源投入直後のスイッチャ１の操作部３０と表示部４０との表示例を示す模式図である。
同図は、個別出力系統ＯＵＴに対する個別入力系統ＩＮの接続状態が未接続状態のときの操作部３０と表示部４０との表示例を模式的に示す。
【００５７】
ユーザによりスイッチャ１の電源が投入されたとき、スイッチャ１は、個別出力系統ＯＵＴに対して個別入力系統ＩＮが接続されていない状態（すなわち、未接続状態）で起動する。このとき、表示部４０は、発光体Ｌａ１１−Ｌａ４６を消灯させ（操作ボタンＢａ１１-Ｂａ４６が消灯する）、発光体Ｌｂ１０−Ｌｂ４０を全点灯させる（解除ボタンＢｂ１０−Ｂｂ４０が全点灯する）。すなわち、個別出力系統ＯＵＴに対する個別入力系統ＩＮの接続状態が未接続状態のとき、発光体Ｌａ１１−Ｌａ４６の点灯状態は消灯状態であり、発光体Ｌｂ１０−Ｌｂ４０の点灯状態は全点灯状態である。
【００５８】
ここで、個別出力系統ＯＵＴに対する個別入力系統ＩＮの接続状態が未接続状態のとき、各個別入力系統ＩＮ１−ＩＮ６は、各個別出力系統ＯＵＴ１−ＯＵＴ４に対して、本発明における第１入力部と、本発明における第２入力部と、のいずれにもなり得る。すなわち、個別出力系統ＯＵＴに対する個別入力系統ＩＮの接続状態が未接続状態のとき、各個別入力系統ＩＮ１−ＩＮ６は、本発明における第１入力部の候補であり、かつ、本発明における第２入力部の候補である。換言すれば、入力系統１０は、本発明における第１入力部と、本発明における第２入力部と、を備える。
【００５９】
また、個別出力系統ＯＵＴに対する個別入力系統ＩＮの接続状態が未接続状態のとき、操作ボタンＢａ１１−Ｂａ４６は、本発明における第１ボタンと、本発明における第２ボタンと、のいずれにもなり得る。すなわち、個別出力系統ＯＵＴに対する個別入力系統ＩＮの接続状態が未接続状態のとき、操作ボタンＢａ１１−Ｂａ４６は、本発明における第１ボタンの候補であり、かつ、本発明における第２ボタンの候補である。換言すれば、操作部３０は、本発明における第１ボタンと、本発明における第２ボタンと、を備える。
【００６０】
さらに、個別出力系統ＯＵＴに対する個別入力系統ＩＮの接続状態が未接続状態のとき、発光体Ｌａ１１−Ｌａ４６は、本発明における第１表示部と、本発明における第２表示部と、のいずれにもなり得る。すなわち、個別出力系統ＯＵＴに対する個別入力系統ＩＮの接続状態が未接続状態のとき、発光体Ｌａ１１−Ｌａ４６は、本発明における第１表示部の候補であり、かつ、本発明における第２表示部の候補である。換言すれば、表示部４０は、本発明における第１表示部と、本発明における第２表示部と、を備える。
【００６１】
●接続状態の切り替え（１）
以下、スイッチャ１による個別出力系統ＯＵＴに対する個別入力系統ＩＮの接続状態の切り替えについて説明する。先ず、ユーザが操作ボタンＢａ１２を操作して個別出力系統ＯＵＴ１に対する個別入力系統ＩＮの接続状態を未接続状態から第１状態に切り替え、次いで、ユーザが操作ボタンＢａ１２を操作した状態で操作ボタンＢａ１５を操作して、個別出力系統ＯＵＴ１に対する個別入力系統ＩＮの接続状態を第１状態から第２状態に切り替える場合を例に説明する。
【００６２】
ユーザが操作ボタンＢａ１２を操作したとき、個別出力系統ＯＵＴ１に対する個別入力系統ＩＮの接続状態は、未接続状態から第１状態に切り替わる。
【００６３】
図７は、操作部３０と表示部４０との別の表示例を示す模式図である。
同図は、ユーザにより操作ボタンＢａ１２が操作されたときの操作部３０と表示部４０との表示例を模式的に示す。
【００６４】
ユーザが操作ボタンＢａ１２を操作したとき、ＭＵＸ５０（図１参照）は、制御部６０（図１参照）からの制御信号に基づいて、個別出力系統ＯＵＴ１に個別入力系統ＩＮ２のみを接続する。その結果、個別出力系統ＯＵＴ１には、個別入力系統ＩＮ２からの映像入力信号と音声入力信号とが入力される。すなわち、個別出力系統ＯＵＴ１に対する個別入力系統ＩＮの接続状態は、未接続状態から第１状態に切り替わる。つまり、制御部６０は、個別出力系統ＯＵＴ１に対する個別入力系統ＩＮの接続状態を未接続状態から第１状態に切り替える。このとき、表示部４０は、制御部６０からの表示信号に基づいて、発光体Ｌｂ１０を消灯させて、発光体Ｌａ１２を全点灯させる（解除ボタンＢｂ１０が消灯して、操作ボタンＢａ１２が全点灯する）。
【００６５】
図８（ａ）は個別出力系統ＯＵＴ１に対する個別入力系統ＩＮの接続状態が第１状態のときの映像入力信号の供給経路の例を示す模式図であり、（ｂ）は個別出力系統ＯＵＴ１に対する個別入力系統ＩＮの接続状態が第１状態のときの音声入力信号の供給経路の例を示す模式図である。
【００６６】
図８（ａ）は、入力機器１０２からの映像入力信号が、個別入力系統ＩＮ２と個別出力系統ＯＵＴ１とを介して出力機器２０１に入力されることを示す。
【００６７】
図８（ｂ）は、入力機器１０２からの音声入力信号が、個別入力系統ＩＮ２と個別出力系統ＯＵＴ１とを介して出力機器２０１に入力されることを示す。
【００６８】
図７に戻る。
ここで、個別出力系統ＯＵＴに対する個別入力系統ＩＮの接続状態が第１状態のとき、個別出力系統ＯＵＴに接続されている個別入力系統ＩＮは、同個別出力系統ＯＵＴに第１信号（映像入力信号）と第２信号（音声入力信号）とを入力する本発明における第１入力部である。すなわち、本実施の形態では、個別入力系統ＩＮ２は、個別出力系統ＯＵＴ１に対する第１入力部である。
【００６９】
また、個別出力系統ＯＵＴに対する個別入力系統ＩＮの接続状態が第１状態のとき、第１入力部に対応するボタン（操作ボタンＢａ）は、本発明における第１ボタンである。すなわち、本実施の形態では、操作ボタンＢａ１２は、第１入力部である個別入力系統ＩＮ２に対応する第１ボタンである。
【００７０】
さらに、個別出力系統ＯＵＴに対する個別入力系統ＩＮの接続状態が第１状態のとき、第１入力部に対応する発光体Ｌ（発光体Ｌａ）は、本発明における第１表示部である。すなわち、本実施の形態では、発光体Ｌａ１２は、第１入力部である個別入力系統ＩＮ２に対応する第１表示部である。
【００７１】
このように、個別出力系統ＯＵＴに対する個別入力系統ＩＮの接続状態が第１状態のとき、発光体Ｌは、個別出力系統ＯＵＴに接続されている個別入力系統ＩＮ（第１入力部）に対応する発光体Ｌ（本実施の形態では、発光体Ｌａ１２）の点灯状態を全点灯状態にする。
【００７２】
次に、ユーザが全点灯している操作ボタンＢａ１２を操作した状態で消灯している操作ボタンＢａ１５を操作したとき、個別出力系統ＯＵＴ１に音声入力信号を入力する個別入力系統ＩＮのみが、個別入力系統ＩＮ２から個別入力系統ＩＮ５に変更される（切り替わる）。このとき、個別出力系統ＯＵＴ１に映像入力信号を入力する個別入力系統ＩＮは、変更されない（個別入力系統ＩＮ２のまま）。すなわち、個別出力系統ＯＵＴ１に対する個別入力系統ＩＮの接続状態は、第１状態から第２状態に切り替わる。
【００７３】
図９は、操作部３０と表示部４０とのさらに別の表示例を示す模式図である。
同図は、ユーザにより操作ボタンＢａ１２が操作された状態で操作ボタンＢａ１５が操作されたときの操作部３０と表示部４０との表示例を模式的に示す。
【００７４】
ユーザにより操作ボタンＢａ１２が操作された状態で操作ボタンＢａ１５が操作されたとき（操作ボタンＢａ１２と操作ボタンＢａ１５とが同時に操作されたとき）、第１ＭＵＸ５１（図１参照）は、制御部６０（図１参照）からの制御信号に基づいて、個別出力系統ＯＵＴ１と個別入力系統ＩＮ２とを接続する。一方、第２ＭＵＸ５２（図１参照）は、制御部６０からの制御信号に基づいて、個別入力系統ＩＮ２と個別出力系統ＯＵＴ１との接続を解除（切断）して、個別出力系統ＯＵＴ１と個別入力系統ＩＮ５とを接続する。その結果、個別出力系統ＯＵＴ１には、個別入力系統ＩＮ２からの映像入力信号と、個別入力系統ＩＮ５からの音声入力信号とが入力される。すなわち、個別出力系統ＯＵＴ１に対する個別入力系統ＩＮの接続状態は、第１状態から第２状態に切り替わる。つまり、制御部６０は、個別出力系統ＯＵＴ１に対する個別入力系統ＩＮの接続状態を第１状態から第２状態に切り替える。このとき、表示部４０は、制御部６０からの表示信号に基づいて、発光体Ｌａ１２を全点灯させ（操作ボタンＢａ１２の全点灯を維持する）、発光体Ｌａ１５を半点灯させる（操作ボタンＢａ１５が半点灯する）。
【００７５】
このように、本実施の形態では、制御部６０は、操作ボタンＢａ１２が操作された状態で操作ボタンＢａ１５が操作されたときにのみ、個別出力系統ＯＵＴ１に対する個別入力系統ＩＮの接続状態を、第１状態から第２状態に切り替える、
【００７６】
図１０（ａ）は個別出力系統ＯＵＴ１に対する個別入力系統ＩＮの接続状態が第２状態のときの映像入力信号の供給経路の例を示す模式図であり、（ｂ）は個別出力系統ＯＵＴ１に対する個別入力系統ＩＮの接続状態が第２状態のときの音声入力信号の供給経路の例を示す模式図である。
【００７７】
図１０（ａ）は、入力機器１０２からの映像入力信号が、第１状態と同様に、個別入力系統ＩＮ２と個別出力系統ＯＵＴ１とを介して出力機器２０１に入力されることを示す。
【００７８】
図１０（ｂ）は、出力機器２０１に入力される音声入力信号が、入力機器１０２からの音声入力信号から入力機器１０５からの音声入力信号に切り替わることを示す。すなわち、入力機器１０２からの音声入力信号は、個別入力系統ＩＮ２と個別出力系統ＯＵＴ１とを介して出力機器２０１に入力されず、入力機器１０５からの音声入力信号が個別入力系統ＩＮ５と個別出力系統ＯＵＴ１とを介して出力機器２０１に入力される。
【００７９】
図９に戻る。
ここで、個別出力系統ＯＵＴに対する個別入力系統ＩＮの接続状態が第２状態のとき、１つの個別出力系統ＯＵＴに接続されている２つの個別入力系統ＩＮのうち、一方の個別入力系統ＩＮは個別出力系統ＯＵＴに第１信号（映像入力信号）を入力する本発明における第１入力部であり、他方の個別入力系統ＩＮは個別出力系統ＯＵＴに第２信号（音声入力信号）を入力する本発明における第２入力部である。すなわち、本実施の形態では、個別入力系統ＩＮ２は個別出力系統ＯＵＴ１に対する第１入力部であり、個別入力系統ＩＮ５は、個別出力系統ＯＵＴ１に対する第２入力部である。
【００８０】
また、個別出力系統ＯＵＴに対する個別入力系統ＩＮの接続状態が第２状態のとき、第１入力部に対応するボタン（操作ボタンＢａ）は本発明における第１ボタンであり、第２入力部に対応するボタン（操作ボタンＢａ）は本発明における第２ボタンである。すなわち、本実施の形態では、操作ボタンＢａ１２は第１入力部である個別入力系統ＩＮ２に対応する第１ボタンであり、操作ボタンＢａ１５は第２入力部である個別入力系統ＩＮ５に対応する第２ボタンである。
【００８１】
さらに、個別出力系統ＯＵＴに対する個別入力系統ＩＮの接続状態が第２状態のとき、第１入力部に対応する発光体Ｌ（発光体Ｌａ）は、本発明における第１表示部であり、第２入力部に対応する発光体Ｌ（発光体Ｌａ）は、本発明における第２表示部である。すなわち、本実施の形態では、発光体Ｌａ１２は第１入力部である個別入力系統ＩＮ２に対応する第１表示部であり、発光体Ｌａ１５は第２入力部である個別入力系統ＩＮ５に対応する第２表示部である。
【００８２】
ここで、第１表示部である発光体Ｌａ１２の点灯状態は、個別出力系統ＯＵＴに対する個別入力系統ＩＮの接続状態が第１状態のとき全点灯状態であり、同接続状態が第２状態のとき全点灯状態である。一方、第２表示部である発光体Ｌａ１５の点灯状態は、個別出力系統ＯＵＴに対する個別入力系統ＩＮの接続状態が第１状態のとき消灯状態であり、同接続状態が第２状態のとき半点灯状態である。すなわち、同接続状態が第１状態のときの第１表示部の表示態様は、同接続状態が第２状態のときの第１表示部の表示態様と同じであり、同接続状態が第１状態のときの第２表示部の表示態様と異なり、同接続状態が第２状態のときの第２表示部の表示態様と異なる。また、同接続状態が第１状態のときの第２表示部の表示態様は、同接続状態が第２状態のときの第２表示部の表示態様と異なる。
【００８３】
このように、個別出力系統ＯＵＴに対する個別入力系統ＩＮの接続状態が第２状態のとき、表示部４０は、個別出力系統ＯＵＴに映像入力信号を入力する個別入力系統ＩＮ（第１入力部）に対応する発光体Ｌ（本実施の形態では、発光体Ｌａ１２）の点灯状態を全点灯状態にし（全点灯状態に維持する）、個別出力系統ＯＵＴに音声入力信号を入力する個別入力系統ＩＮ（第２入力部）に対応する発光体Ｌ（本実施の形態では、発光体Ｌａ１５）の点灯状態を半点灯状態にする。
【００８４】
●接続状態の切り替え（２）
以下、スイッチャ１による出力系統２０に対する入力系統１０の接続状態の別の切り替えについて説明する。先ず、ユーザが操作ボタンＢａ１２を操作して個別出力系統ＯＵＴ１に対する個別入力系統ＩＮの接続状態を未接続状態から第１状態に切り替え、次いで、ユーザが操作ボタンＢａ１２を操作した状態で解除ボタンＢｂ１０を操作して個別出力系統ＯＵＴ１に対する個別入力系統ＩＮの接続状態を第１状態から第３状態に切り替える場合を例に説明する。
【００８５】
図７に戻る。
ユーザが操作ボタンＢａ１２を操作したとき、前述のとおり、個別出力系統ＯＵＴ１に対する個別入力系統ＩＮの接続状態は、未接続状態から第１状態に切り替わる。このとき、前述のとおり、個別出力系統ＯＵＴ１に対して個別入力系統ＩＮ２が接続され、発光体Ｌａ１２の点灯状態が全点灯状態となる（操作ボタンＢａ１２が全点灯している）。
【００８６】
次に、ユーザが全点灯している操作ボタンＢａ１２を操作した状態で消灯している解除ボタンＢｂ１０を操作したとき（操作ボタンＢａ１２と解除ボタンＢｂ１０とが同時に操作されたとき）、個別出力系統ＯＵＴ１に音声入力信号を入力する個別入力系統ＩＮの接続のみが解除（切断）される。このとき、個別出力系統ＯＵＴ１に映像入力信号を入力する個別入力系統ＩＮは、変更されない。すなわち、個別出力系統ＯＵＴ１に対する個別入力系統ＩＮの接続状態は、第１状態から第３状態に切り替わる。
【００８７】
図１１は、操作部３０と表示部４０とのさらに別の表示例を示す模式図である。
同図は、ユーザにより操作ボタンＢａ１２が操作された状態で解除ボタンＢｂ１０が操作されたときの操作部３０と表示部４０との表示例を模式的に示す。
【００８８】
ユーザにより操作ボタンＢａ１２が操作された状態で解除ボタンＢｂ１０が操作されたとき、第１ＭＵＸ５１（図１参照）は、制御部６０（図１参照）からの制御信号に基づいて、個別出力系統ＯＵＴ１と個別入力系統ＩＮ２とを接続する。一方、第２ＭＵＸ５２（図１参照）は、制御部６０からの制御信号に基づいて、個別出力系統ＯＵＴ１と個別入力系統ＩＮ２の接続を解除（切断）する。その結果、個別出力系統ＯＵＴ１には、個別入力系統ＩＮ２からの映像入力信号のみが入力され、個別入力系統ＩＮ２からの音声入力信号は入力されなくなる。すなわち、個別出力系統ＯＵＴ１に対する個別入力系統ＩＮの接続状態は、第１状態から第３状態に切り替わる。つまり、制御部６０は、個別出力系統ＯＵＴ１に対する個別入力系統ＩＮの接続状態を第１状態から第３状態に切り替える。このとき、表示部４０は、制御部６０からの表示信号に基づいて、発光体Ｌａ１２を全点灯させ（操作ボタンＢａ１２の全点灯を維持する）、発光体Ｌｂ１０を半点灯させる（解除ボタンＢｂ１０が半点灯する）。
【００８９】
図１２（ａ）は個別出力系統ＯＵＴ１に対する個別入力系統ＩＮの接続状態が第３状態のときの映像入力信号の供給経路の例を示す模式図であり、（ｂ）は個別出力系統ＯＵＴ１に対する個別入力系統ＩＮの接続状態が第３状態のときの音声入力信号の供給経路の例を示す模式図である。
【００９０】
図１２（ａ）は、入力機器１０２からの映像入力信号が、第１状態と同様に、個別入力系統ＩＮ２と個別出力系統ＯＵＴ１とを介して出力機器２０１に入力されることを示す。
【００９１】
図１２（ｂ）は、個別出力系統ＯＵＴ１に音声入力信号を入力する個別入力系統ＩＮの接続のみが解除（切断）されることを示す。すなわち、入力機器１０２からの音声入力信号は、個別入力系統ＩＮ２と個別出力系統ＯＵＴ１とを介して出力機器２０１に入力されない。
【００９２】
図１１に戻る。
ここで、個別出力系統ＯＵＴに対する個別入力系統ＩＮの接続状態が第３状態のとき、個別出力系統ＯＵＴに接続されている個別入力系統ＩＮは、個別出力系統ＯＵＴに第１信号（映像入力信号）を入力する本発明における第１入力部である。すなわち、本実施の形態では、個別入力系統ＩＮ２は、個別出力系統ＯＵＴ１に対する第１入力部である。
【００９３】
また、個別出力系統ＯＵＴに対する個別入力系統ＩＮの接続状態が第３状態のとき、第１入力部に対応するボタン（操作ボタンＢａ）は、本発明における第１ボタンである。すなわち、本実施の形態では、操作ボタンＢａ１２は、第１入力部である個別入力系統ＩＮ２に対応する第１ボタンである。一方、解除ボタンＢｂ１０は、個別入力系統ＩＮ２から個別出力系統ＯＵＴ１への音声入力信号を解除する、本発明における解除ボタンである。
【００９４】
さらに、個別出力系統ＯＵＴに対する個別入力系統ＩＮの接続状態が第３状態のとき、第１ボタンに対応する発光体Ｌ（発光体Ｌａ）は本発明における第１表示部であり、解除ボタンに対応する発光体Ｌ（発光体Ｌｂ）は本発明における入力信号解除表示部である。「入力信号解除表示部」は、個別入力系統ＩＮから個別出力系統ＯＵＴへの映像入力信号もしくは音声入力信号、または、映像入力信号と音声入力信号との入力が解除されていることを表示する。すなわち、本実施の形態では、発光体Ｌａ１２は第１ボタンである操作ボタンＢａ１２に対応する第１表示部であり、発光体Ｌｂ１０は解除ボタンＢｂ１０に対応する入力信号解除表示部である。つまり、本実施の形態における入力信号解除表示部（発光体Ｌｂ１０）は、半点灯することで、個別入力系統ＩＮ２から個別出力系統ＯＵＴ１への音声入力信号の入力が解除されていることを表示する。
【００９５】
ここで、第１表示部である発光体Ｌａ１２の点灯状態は、個別出力系統ＯＵＴに対する個別入力系統ＩＮの接続状態が第１状態のとき全点灯状態であり、同接続状態が第３状態のとき全点灯状態である。一方、入力信号解除表示部である発光体Ｌｂ１０の点灯状態は、個別出力系統ＯＵＴに対する個別入力系統ＩＮの接続状態が第１状態のとき消灯状態であり、同接続状態が第３状態のとき半点灯状態である。すなわち、同接続状態が第１状態のときの第１表示部の表示態様は、同接続状態が第３状態のときの第１表示部の表示態様と同じである。また、同接続状態が第１状態のときの入力信号解除表示部の表示態様は、同接続状態が第３状態のときの入力信号解除表示部の表示態様と異なる。
【００９６】
このように、個別出力系統ＯＵＴに対する個別入力系統ＩＮの接続状態が第３状態のとき、表示部４０は、第1ボタンに対応する発光体Ｌ（本実施の形態では、発光体Ｌａ１２）の点灯状態を全点灯状態にし（全点灯状態に維持する）、個別入力系統ＩＮから個別出力系統ＯＵＴ１への音声入力信号の入力を解除する解除ボタンＢｂに対応する発光体Ｌ（本実施の形態では、発光体Ｌｂ１０）の点灯状態を半点灯状態にする。
【００９７】
●接続状態の切り替え（３）
以下、スイッチャ１による出力系統２０に対する入力系統１０の接続状態のさらに別の切り替えについて、ユーザが解除ボタンＢｂ１０を操作した状態で操作ボタンＢａ１２を操作して、個別出力系統ＯＵＴ１に対する個別入力系統ＩＮの接続状態を未接続状態から第３状態に切り替える場合を例に説明する。
【００９８】
ユーザが全点灯している解除ボタンＢｂ１０を操作した状態で消灯している操作ボタンＢａ１２を操作したとき（解除ボタンＢｂ１０と操作ボタンＢａ１２とが同時に操作されたとき）、個別出力系統ＯＵＴ１に音声入力信号を入力する個別入力系統ＩＮのみが接続される。このとき、個別出力系統ＯＵＴ２に映像入力信号を入力する個別入力系統ＩＮは、個別出力系統ＯＵＴ２に接続されない。すなわち、個別出力系統ＯＵＴ１に対する個別入力系統ＩＮの接続状態は、未接続状態から第３状態に切り替わる。
【００９９】
図１３は、操作部３０と表示部４０とのさらに別の表示例を示す模式図である。
同図は、ユーザにより解除ボタンＢｂ１０が操作された状態で操作ボタンＢａ１２が操作されたときの操作部３０と表示部４０との表示例を模式的に示す。
【０１００】
ユーザにより解除ボタンＢｂ１０が操作された状態で操作ボタンＢａ１２が操作されたとき、第２ＭＵＸ５２（図１参照）は、制御部６０（図１参照）からの制御信号に基づいて個別出力系統ＯＵＴ１と個別入力系統ＩＮ２とを接続する。一方、第１ＭＵＸ５１（図１参照）は、個別出力系統ＯＵＴ１と個別入力系統ＩＮ２とを接続しない。その結果、個別出力系統ＯＵＴ１には、個別入力系統ＩＮ２からの音声入力信号のみが入力され、個別入力系統ＩＮ２からの映像入力信号は入力されない。すなわち、個別出力系統ＯＵＴ１に対する個別入力系統ＩＮの接続状態は、未接続状態から第３状態に切り替わる。つまり、制御部６０は、個別出力系統ＯＵＴ１に対する個別入力系統ＩＮの接続状態を未接続状態から第３状態に切り替える。このとき、表示部４０は、制御部６０からの表示信号に基づいて、発光体Ｌｂ１０を全点灯させ（解除ボタンＢｂ１０の全点灯を維持する）、発光体Ｌａ１２を半点灯させる（操作ボタンＢａ１２が半点灯する）。
【０１０１】
図１４（ａ）は個別出力系統ＯＵＴ１に対する個別入力系統ＩＮの接続状態が第３状態のときの映像入力信号の供給経路の例を示す模式図であり、（ｂ）は個別出力系統ＯＵＴ１に対する個別入力系統ＩＮの接続状態が第３状態のときの音声入力信号の供給経路の例を示す模式図である。
【０１０２】
図１４（ａ）は、個別出力系統ＯＵＴ１に映像入力信号を入力する個別入力系統ＩＮ２は接続されないことを示す。すなわち、入力機器１０２からの映像入力信号は、未接続状態と同様に、個別入力系統ＩＮ２と個別出力系統ＯＵＴ１とを介して出力機器２０１に入力されない。
【０１０３】
図１４（ｂ）は、入力機器１０２からの音声入力信号が、個別入力系統ＩＮ２と個別出力系統ＯＵＴ１とを介して、出力機器２０１に入力されることを示す。
【０１０４】
図１３に戻る。
ここで、個別出力系統ＯＵＴに対する個別入力系統ＩＮの接続状態が第３状態のとき、個別出力系統ＯＵＴに接続されている個別入力系統ＩＮは、個別出力系統ＯＵＴに第２信号（音声入力信号）を入力する本発明における第１入力部である。すなわち、本実施の形態では、個別入力系統ＩＮ２は、個別出力系統ＯＵＴ１に対する第１入力部である。
【０１０５】
また、個別出力系統ＯＵＴに対する個別入力系統ＩＮの接続状態が第３状態のとき、第１入力部に対応するボタン（操作ボタンＢａ）は、本発明における第１ボタンである。すなわち、本実施の形態では、操作ボタンＢａ１２は、第１入力部である個別入力系統ＩＮ２に対応する第１ボタンである。一方、解除ボタンＢｂ１０は、個別入力系統ＩＮ２から個別出力系統ＯＵＴ１への信号の入力を解除（切断）する本発明における解除ボタンである。
【０１０６】
さらに、個別出力系統ＯＵＴに対する個別入力系統ＩＮの接続状態が第３状態のとき、第１ボタンに対応する発光体Ｌ（発光体Ｌａ）は本発明における第１表示部であり、解除ボタンに対応する発光体Ｌ（発光体Ｌｂ）は本発明における入力信号解除表示部である。すなわち、本実施の形態では、発光体Ｌａ１２は第１ボタンである操作ボタンＢａ１２に対応する第１表示部であり、発光体Ｌｂ１０は解除ボタンＢｂに対応する入力信号解除表示部である。本実施の形態における入力信号解除表示部（発光体Ｌｂ１０）は、半点灯することで、個別入力系統ＩＮから個別出力系統ＯＵＴへの映像入力信号の入力が解除されていることを表示する。
【０１０７】
ここで、第１表示部である発光体Ｌａ１２の点灯状態は、個別出力系統ＯＵＴに対する個別入力系統ＩＮの接続状態が未接続状態のとき消灯状態であり、同接続状態が第３状態のとき半点灯状態である。一方、入力信号解除表示部である発光体Ｌｂ１０の点灯状態は、個別出力系統ＯＵＴに対する個別入力系統ＩＮの接続状態が未接続状態のとき全点灯状態であり、同接続状態が第３状態のとき全点灯状態である。すなわち、同接続状態が未接続状態のときの第１表示部の表示態様は、同接続状態が第３状態のときの第１表示部の表示態様と異なる。また、同接続状態が未接続状態のときの入力信号解除表示部の表示態様は、同接続状態が第３状態のときの入力信号解除表示部の表示態様と同じである。
【０１０８】
このように、個別出力系統ＯＵＴに対する個別入力系統ＩＮの接続状態が第３状態のとき、表示部４０は、解除ボタンＢｂに対応する発光体Ｌ（本実施の形態では、発光体Ｌｂ１０）の点灯状態を全点灯状態にし（全点灯状態に維持する）、第１ボタンに対応する発光体Ｌ（本実施の形態では、発光体Ｌａ１２）の点灯状態を半点灯状態にする。
【０１０９】
●まとめ
以上説明した実施の形態によれば、スイッチャ１は、出力系統２０に対する入力系統１０の接続状態が第１状態のときに、第１ボタンと第２ボタンとが同時に操作されると、接続状態を第１状態から第２状態に切り替える。すなわち、スイッチャ１は、出力系統２０に対する入力系統１０の接続状態を第１状態から第２状態へ切り替えるためにＳＥＴボタンの操作を必要とする従来のスイッチャ（以下「従来装置」という。）と比較して、出力系統２０に対する入力系統１０の接続状態を第１状態から第２状態へ切り替えるためにＳＥＴボタンの操作を必要としない。そのため、スイッチャ１は、操作ボタンＢａと解除ボタンＢｂとを操作するだけで、容易、かつ、直感的な操作を可能にする。すなわち、本発明にかかるスイッチャの操作性は、従来装置と比較して向上する。
【０１１０】
また、スイッチャ１は、従来装置に必須のＳＥＴボタンを必要としない。そのため、本発明にかかるスイッチャは、ＳＥＴボタンを配置するためのスペースを必要とせず、従来装置よりも小型化が可能である。
【０１１１】
このように、本発明にかかるスイッチャは、従来装置と比較して、操作性に優れると共に、小型化が可能である。
【０１１２】
なお、以上説明した実施の形態において、映像入力信号が本発明における第１信号であり、音声入力信号が本発明における第２信号であった。これに代えて、音声入力信号が本発明における第１信号であり、映像入力信号が本発明における第２信号でもよい。
【０１１３】
また、本発明における発光体の半点灯状態の実現方法は、本実施の形態に限定されない。すなわち、例えば、本発明における発光体の半点灯状態は、発光体が所定の周期で点滅することで全点灯状態よりも暗く点灯しているような状態でもよい。
【０１１４】
さらに、本発明におけるスイッチャは、２つの個別入力系統と１つの個別出力系統とを備えていればよい。すなわち、本発明において、個別入力系統の数と個別出力系統の数とは、本実施の形態に限定されない。
【０１１５】
さらにまた、本発明における表示部は、出力系統に対する入力系統の接続状態が第２状態のとき、第１ボタン（第１表示部）を半点灯させ、第２ボタン（第２表示部）を全点灯させてもよい。すなわち、例えば、出力系統に対する入力系統の接続状態が第１状態から第２状態に切り替えられたとき、第１状態のときに全点灯していた第１ボタンは半点灯し、第１状態のとき消灯していた第２ボタンは全点灯する。
【０１１６】
このとき、第１表示部である発光体（例えば、発光体Ｌａ１２）の点灯状態は、個別出力系統に対する個別入力系統の接続状態が第１状態のとき全点灯状態であり、同接続状態が第２状態のとき半点灯状態である。一方、第２表示部である発光体（例えば、発光体Ｌａ１５）の点灯状態は、個別出力系統に対する個別入力系統の接続状態が第１状態のとき消灯状態であり、同接続状態が第２状態のとき全点灯状態である。すなわち、同接続状態が第１状態のときの第１表示部の表示態様は、同接続状態が第２状態のときの第１表示部の表示態様と異なり、同接続状態が第２状態のときの第２表示部の表示態様と同じである。また、同接続状態が第２状態のときの第２表示部の表示態様は、同接続状態が第１状態のときの第２表示部の表示態様と異なり、同接続状態が第２状態のときの第１表示部の表示態様と異なる。
【０１１７】
このように、発光体の点灯状態を変更しても、本発明におけるスイッチャは、従来装置と比較して、操作性に優れると共に、小型化することができる。
【符号の説明】
【０１１８】
１                    スイッチャ
１０                  入力系統
２０                  出力系統
３０                  操作部
４０                  表示部
５０                  ＭＵＸ
５１                  第１ＭＵＸ
５２                  第２ＭＵＸ
６０                  制御部
ＩＮ１−ＩＮ６        個別入力系統
ＯＵＴ１−ＯＵＴ４    個別出力系統
ＯＦＦ                解除系統
Ｂａ                  操作ボタン
Ｂｂ                  解除ボタン
Ｌ                    発光体
Ｌａ，Ｌｂ            発光体
【図１】
2019121916.tif 000003
【図２】
2019121916.tif 000004
【図３】
2019121916.tif 000005
【図４】
2019121916.tif 000006
【図５】
2019121916.tif 000007
【図６】
2019121916.tif 000008
【図７】
2019121916.tif 000009
【図８】
2019121916.tif 000010
【図９】
2019121916.tif 000011
【図１０】
2019121916.tif 000012
【図１１】
2019121916.tif 000013
【図１２】
2019121916.tif 000014
【図１３】
2019121916.tif 000015
【図１４】
2019121916.tif 000016
【手続補正書】
【提出日】平成30年5月11日(2018.5.11)
【手続補正１】
【補正対象書類名】特許請求の範囲
【補正対象項目名】全文
【補正方法】変更
【補正の内容】
【特許請求の範囲】
【請求項１】
第１信号と第２信号とが入力される入力系統と、
前記入力系統に入力された前記第１信号と前記第２信号とが出力される出力系統と、
前記出力系統に対する前記入力系統の接続状態を切り替えるために操作される操作部と、
前記操作部の操作に基づいて、前記接続状態を切り替える制御部と、
を有してなり、
前記入力系統は、
第１入力部と、
第２入力部と、
を備え、
前記操作部は、
前記第１入力部に対応する第１ボタンと、
前記第２入力部に対応する第２ボタンと、
前記第１ボタンと同時に操作される解除ボタンと、
を備え、
前記接続状態は、
前記第１信号と前記第２信号とが前記第１入力部から入力され、前記第１信号と前記第２信号のいずれもが前記第２入力部から入力されない第１状態と、
前記第１信号のみが前記第１入力部から入力され、前記第２信号のみが前記第２入力部から入力される第２状態と、
前記第１信号のみが前記第１入力部から入力され、前記第１信号と前記第２信号のいずれもが前記第２入力部から入力されない第３状態と、
を含み、
前記接続状態が前記第１状態のときに、前記第１ボタンと前記第２ボタンとが同時に操作されると、前記制御部は、前記接続状態を、前記第１状態から前記第２状態に切り替え、
前記接続状態が前記第１状態のときに、前記第１ボタンと前記解除ボタンとが同時に操作されると、前記制御部は、前記接続状態を、前記第１状態から前記第３状態に切り替える、
ことを特徴とするスイッチャ。
【請求項２】
前記制御部は、前記第１ボタンが操作された状態で前記第２ボタンが操作されたときにのみ、前記接続状態を、前記第１状態から前記第２状態に切り替える、
請求項１記載のスイッチャ。
【請求項３】
前記接続状態を表示する表示部、
を備え、
前記表示部は、
前記第１入力部に対応する第１表示部と、
前記第２入力部に対応する第２表示部と、
を備え、
前記接続状態が前記第１状態のときの前記第１表示部の表示態様は、前記接続状態が前記第２状態のときの前記第１表示部の表示態様と同じであり、
前記接続状態が前記第１状態のときの前記第２表示部の表示態様は、前記接続状態が前記第２状態のときの前記第２表示部の表示態様と異なる、
請求項１記載のスイッチャ。
【請求項４】
前記接続状態が前記第１状態のときの前記第１表示部の表示態様は、前記接続状態が前記第１状態のときの前記第２表示部の表示態様と異なる、
請求項３記載のスイッチャ。
【請求項５】
前記接続状態が前記第１状態のときの前記第１表示部の表示態様は、前記接続状態が前記第２状態のときの前記第２表示部の表示態様と異なる、
請求項４記載のスイッチャ。
【請求項６】
前記接続状態を表示する表示部、
を備え、
前記表示部は、
前記第１入力部に対応する第１表示部と、
前記第２入力部に対応する第２表示部と、
を備え、
前記接続状態が前記第１状態のときの前記第１表示部の表示態様は、前記接続状態が前記第２状態のときの前記第１表示部の表示態様と異なり、
前記接続状態が前記第１状態のときの前記第２表示部の表示態様は、前記接続状態が前記第２状態のときの前記第２表示部の表示態様と異なる、
請求項１記載のスイッチャ。
【請求項７】
前記接続状態が前記第１状態のときの前記第１表示部の表示態様は、前記接続状態が前記第２状態のときの前記第２表示部の表示態様と同じである、
請求項６記載のスイッチャ。
【請求項８】
前記接続状態が前記第２状態のときの前記第１表示部の表示態様は、前記接続状態が前記第２状態のときの前記第２表示部の表示態様と異なる、
請求項７記載のスイッチャ。
【請求項９】
前記接続状態を表示する表示部、
を備え、
前記表示部は、
前記第１ボタンに対応する第１表示部と、
前記解除ボタンに対応する入力信号解除表示部と、
を備え、
前記接続状態が前記第１状態のときの前記第１表示部の表示態様は、前記接続状態が前記第３状態のときの前記第１表示部の表示態様と同じであり、
前記接続状態が前記第１状態のときの前記入力信号解除表示部の表示態様は、前記接続状態が前記第３状態のときの前記入力信号解除表示部の表示態様と異なる、
請求項１記載のスイッチャ。
【請求項１０】
前記接続状態は、
前記第１信号と前記第２信号とが前記入力系統から前記出力系統に入力されない未接続状態、
を含み、
前記接続状態が前記未接続状態のとき、前記解除ボタンと前記第１ボタンとが同時に操作されると、前記制御部は、前記接続状態を、前記未接続状態から前記第３状態に切り替える、
請求項１記載のスイッチャ。
【請求項１１】
前記接続状態を表示する表示部、
を備え、
前記表示部は、
前記第１ボタンに対応する第１表示部と、
前記解除ボタンに対応する入力信号解除表示部と、
を備え、
前記接続状態が前記未接続状態のときの前記入力信号解除表示部の表示態様は、前記接続状態が前記第３状態のときの前記入力信号解除表示部の表示態様と同じであり、
前記接続状態が前記未接続状態のときの前記第１表示部の表示態様は、前記接続状態が前記第３状態のときの前記第１表示部の表示態様と異なる、
請求項１０記載のスイッチャ。